(57)【特許請求の範囲】
【請求項１】
複数のアンテナを用いてそれぞれ受信した第一系統および第二系統の受信信号に対してそれぞれディジタル信号処理を行い、この第一系統および第二系統の受信信号の位相を同期させ、信号レベルに応じて重み付けを行い合成する受信ダイバーシティ手段と、
上記第一系統の受信信号と第二系統の受信信号との信号レベルを比較し、これらの信号レベルに応じた利得調整値をそれぞれの系統の受信信号に与える自動利得調整手段と
を備えたダイバーシティ受信装置において、
上記信号レベル差または利得調整値の差が所定の値を超えた場合には、利得調整値の大きい系統の利得調整値の値を制限して利得調整値の差を所定値以下に制限する手段を備えた
ことを特徴とするダイバーシティ受信装置。
【請求項２】
前記受信ダイバーシティ手段の合成結果に基づくＳＮ比が所定のレベル以下となった状況下に限定して前記制限する手段を有効にする請求項１記載のダイバーシティ受信装置。
【請求項３】
複数のアンテナを用いてそれぞれ受信した第一系統および第二系統の受信信号に対してそれぞれディジタル信号処理を行い、この第一系統および第二系統の受信信号の位相を同期させ、信号レベルに応じて重み付けを行い合成する受信ダイバーシティを行う際に、
上記第一系統の受信信号と第二系統の受信信号との信号レベルを比較し、これらの信号レベルに応じた利得調整値をそれぞれの系統の受信信号に与える自動利得調整を行う
ダイバーシティ受信装置に適用される自動利得調整方法において、
上記信号レベル差または利得調整値の差が所定の値を超えた場合には、利得調整値の大きい系統の利得調整値の値を制限して利得調整値の差を所定値以下に制限する
ことを特徴とする自動利得調整方法。
【請求項４】
前記受信ダイバーシティの合成結果に基づくＳＮ比が所定のレベル以下となった状況下に限定して前記制限する請求項３記載の自動利得調整方法。
【請求項５】
情報処理装置にインストールすることにより、その情報処理装置に、
複数のアンテナを用いてそれぞれ受信した第一系統および第二系統の受信信号に対してそれぞれディジタル信号処理を行い、この第一系統および第二系統の受信信号の位相を同期させ、信号レベルに応じて重み付けを行い合成する受信ダイバーシティを制御する機能と、
上記第一系統の受信信号と第二系統の受信信号との信号レベルを比較し、これらの信号レベル差に応じた利得調整値をそれぞれの系統の受信信号に与える自動利得調整機能と
を備えたダイバーシティ受信装置の機能を実現するプログラムにおいて、
上記信号レベル差または利得調整値の差が所定の値を超えた場合には、利得調整値の大きい系統の利得調整値の値を制限して利得調整値の差を所定値以下に制限する機能を実現する
ことを特徴とするプログラム。
【請求項６】
前記受信ダイバーシティ機能の合成結果に基づくＳＮ比が所定のレベル以下となった状況下に限定して前記制限する機能を有効にする機能を実現する請求項５記載のプログラム。
【発明の詳細な説明】
【技術分野】
【０００１】
本発明は、ダイバーシティ受信装置および自動利得調整方法およびプログラムに関する。
【背景技術】
【０００２】
一般的に受信ダイバーシティとは、複数（例えば、２本）のアンテナから系統♯１および系統♯２の信号をそれぞれ受信し、それをディジタル信号処理装置において系統♯１および系統♯２の信号の位相を同期させ、一般的に使われている最大比合成の場合には、信号レベルに応じて重み付けを行い合成し、最終的にＳＮ比（以降ＳＮＲとする）を最大にする機能を有するもので、特にフェージング環境下で効果を発揮するものである。
【０００３】
このとき、高速フェージングなどで、系統♯１が瞬時にレベル低下（劣化）した信号（ＳＮＲが悪い信号）を受信した場合には、系統♯２には安定したレベルの信号（ＳＮＲが良い信号）を受信する場合がある。そのような場合には、受信装置では受信レベルに反比例したＡＧＣ(Automatic
Gain Control)が設定される。つまり系統♯１には系統♯２より大きなＡＧＣ値が設定され、系統♯２には系統♯１よりも小さなＡＧＣ値が設定される。
【０００４】
【特許文献１】特開２００４−２７４６３９号公報
【特許文献２】特開平５−２５９９５１号公報
【発明の開示】
【発明が解決しようとする課題】
【０００５】
上述したようなＡＧＣ値の制御によれば、ダイバーシティ受信装置から系統♯１のＳＮＲが良くない信号に対し大きなＡＧＣ値が設定され、結果としてＳＮＲの良い系統♯２より大きなレベルとして出力されてしまう。
【０００６】
さらに、ディジタル信号処理装置では、本来、受信レベルやＳＮＲ変動に応じてディジタル信号処理装置にて重み付け値が変更され、系統♯１で重み付けを下げ、系統♯２で重み付けを上げることでＳＮＲを確保するが、高速フェージング環境下ではレベル変動が急峻なため、即座に最適な重み付け値をフィードバックできないため、例えば、系統♯１と系統♯２とにレベル変動前に最適であった重み付け値が設定され、最大比合成結果としては、最悪、系統♯１のノイズ成分が大きな割合を占め、ＳＮＲが劣化したものになる場合がある。
【０００７】
本発明は、このような課題を解決するために行われたものであって、受信ダイバーシティにおける系統♯１および系統♯２のどちらかで急峻に受信レベル劣化が発生した場合でもディジタル信号処理装置での最大比合成を劣化させないダイバーシティ受信装置および自動利得調整方法およびプログラムを提供することを目的とする。
【課題を解決するための手段】
【０００８】
本発明は、複数のアンテナを用いてそれぞれ受信した第一系統および第二系統の受信信号に対してそれぞれディジタル信号処理を行い、この第一系統および第二系統の受信信号の位相を同期させ、信号レベルに応じて重み付けを行い合成する受信ダイバーシティ手段と、上記第一系統の受信信号と第二系統の受信信号との信号レベルを比較し、これらの信号レベルに応じた利得調整値をそれぞれの系統の受信信号に与える自動利得調整手段とを備えたダイバーシティ受信装置であって、上記信号レベル差または利得調整値の差が所定の値を超えた場合には、利得調整値の大きい系統の利得調整値の値を制限して利得調整値の差を所定値以下に制限する手段を備えたことを特徴とする。
【０００９】
また、本発明を自動利得調整方法としての観点からみると、本発明は、複数のアンテナを用いてそれぞれ受信した第一系統および第二系統の受信信号に対してそれぞれディジタル信号処理を行い、この第一系統および第二系統の受信信号の位相を同期させ、信号レベルに応じて重み付けを行い合成する受信ダイバーシティを行う際に、上記第一系統の受信信号と第二系統の受信信号との信号レベルを比較し、これらの信号レベルに応じた利得調整値をそれぞれの系統の受信信号に与える自動利得調整を行うダイバーシティ受信装置に適用される自動利得調整方法であって、上記信号レベル差または利得調整値の差が所定の値を超えた場合には、利得調整値の大きい系統の利得調整値の値を制限して利得調整値の差を所定値以下に制限することを特徴とする。
【００１０】
本発明をプログラムとしての観点から観ると、本発明は、情報処理装置にインストールすることにより、その情報処理装置に、複数のアンテナを用いてそれぞれ受信した第一系統および第二系統の受信信号に対してそれぞれディジタル信号処理を行い、この第一系統および第二系統の受信信号の位相を同期させ、信号レベルに応じて重み付けを行い合成する受信ダイバーシティを制御する機能と、上記第一系統の受信信号と第二系統の受信信号との信号レベルを比較し、これらの信号レベル差に応じた利得調整値をそれぞれの系統の受信信号に与える自動利得調整機能とを備えたダイバーシティ受信装置の機能を実現するプログラムであって、上記信号レベル差または利得調整値の差が所定の値を超えた場合には、利得調整値の大きい系統の利得調整値の値を制限して利得調整値の差を所定値以下に制限する機能を実現することを特徴とする。
【発明の効果】
【００１１】
本発明によれば、受信ダイバーシティにおける系統♯１および系統♯２のどちらかで急峻に受信レベル劣化が発生した場合でもディジタル信号処理装置での最大比合成を劣化させないようにすることができる。
【発明を実施するための最良の形態】
【００１２】
本発明の第一の実施形態のダイバーシティ受信装置を図１および図２を参照して説明する。図１は、第一の実施形態のダイバーシティ受信装置の全体構成図である。図２は、第一の実施形態のダイバーシティ受信装置におけるディジタル信号処理装置２内受信部の簡易ブロック図である。
（第一の実施形態の概要の説明）
【００１３】
第一の実施形態は、複数（ここでは２本）のアンテナ♯１および♯２、ＲＦ装置４、アナログ信号処理装置３、ディジタル信号処理装置２で構成された受信ダイバーシティ受信装置である。
【００１４】
このダイバーシティ受信装置において、受信信号の系統♯１と系統♯２とのＡＧＣ差を制限することで系統♯１、系統♯２のどちらかの受信レベルが瞬時に劣化した場合にも、受信信号の最大比合成結果が劣化しないようにする。
【００１５】
そこで、系統♯１と系統♯２とのダイバーシティ受信装置のＡＧＣ差を制限することで、ＳＮＲが良くない系統♯１の信号に大きなＡＧＣ値が設定されることを回避し、それにより系統♯１のレベルを抑制できるため、ディジタル信号処理装置での重み付けが最適でない場合でも最大比合成結果のＳＮＲ劣化を回避、あるいは抑制することができる。
【００１６】
なお、特許文献１および２においても受信レベル差に応じてＡＧＣの利得値を制御する提案がなされているが、特許文献１の目的は、ディジタル信号処理の計算量の低減であり、特許文献２の目的は、ＡＧＣ回路の簡易化であり、本発明の目的とは異なる。
【００１７】
すなわち、第一の実施形態は、図１および図２に示すように、２本のアンテナ♯１および♯２を用いてそれぞれ受信した系統♯１および系統♯２の受信信号に対してそれぞれディジタル信号処理装置２の系統♯１処理部２−１および系統♯２処理部２−２によりディジタル信号処理を行い、この系統♯１および系統♯２の受信信号の位相を同期させ、信号レベルに応じて重み付けを行い合成する受信ダイバーシティ手段である合成部２４と、系統♯１の受信信号と系統♯２の受信信号との信号レベルを比較し、これらの信号レベル差に反比例した利得調整値をそれぞれの系統の受信信号に与える自動利得調整手段である電力計算＆ＡＧＣ部２０−１および２０−２とを備えたダイバーシティ受信装置である。第一の実施形態では、信号レベル差または利得調整値に上限を設ける手段を電力計算＆ＡＧＣ部２０−１および２０−２に備える。
【００１８】
電力計算＆ＡＧＣ部２０−１および２０−２における信号レベル差または利得調整値に上限を設ける手段の動作を図３を参照して説明する。図３は、電力計算＆ＡＧＣ部における信号レベル差または利得調整値に上限を設ける手段の動作を説明するフローチャートである。なお、信号レベル差に上限を設定せず、利得調整値に上限を設定する方法と、信号レベル差に上限を設定することにより、その結果として利得調整値に、必然的に上限が設定される方法とがある。いずれの方法でも本発明の実施形態を実現することができるが、以下の説明では、信号レベル差に上限を設定する方法を説明する。
【００１９】
また、第一の実施形態では、電力計算＆ＡＧＣ部２０−１および２０−２を統括的に制御することが必要となる。そのための機能は、電力計算＆ＡＧＣ部２０−１または２０−２のいずれか一方が備えればよい。この機能を備えた方の機能ブロックは、他方の機能ブロックから受信レベルの通知を受け取る。ここでは、電力計算＆ＡＧＣ部２０−１が統括的に制御する機能を有するとして説明する。
【００２０】
図３に示すように、電力計算＆ＡＧＣ部２０−１は、電力計算＆ＡＧＣ部２０−１および２０−２が受信した受信レベルにより受信レベル差を検出する（ステップＳ１）。このときに、受信レベル差が上限を超えている場合には（ステップＳ２のＮｏ）、ＡＧＣ値の決定を行うための受信レベル差として上限値を出力する（ステップＳ３）。また、受信レベル差が上限を超えていない場合には（ステップＳ２のＹｅｓ）、ＡＧＣ値の決定を行うための受信レベル差として通常値を出力する（ステップＳ４）。
（第一の実施形態の構成の説明）
【００２１】
図１に示すように、第一の実施形態は、ＣＰＵ装置１とその基本的制御下にあるディジタル信号処理装置２、アナログ信号処理装置３、ＲＦ装置４、メモリ装置５、電源装置６とから構成されている。
【００２２】
ＣＰＵ装置１は、ディジタル信号処理装置２、アナログ信号処理装置３、ＲＦ装置４、メモリ装置５、電源装置６の制御、およびディジタル信号処理装置２とのデータのやり取りをする。
【００２３】
ＲＦ装置４は、無線信号の復調を行う機能ブロックであり、４−１、４−２はそれぞれＲＦ装置４の系統♯１処理部、系統♯２処理部である。アナログ信号処理装置３は、ＲＦ装置４からの信号をＡＤ変換しディジタル信号処理装置２へ出力する。アナログ信号処理装置３の系統♯１処理部３−１および系統♯２処理部３−２は、それぞれＲＦ装置４の系統♯１処理部４−１および系統♯２処理部４−２からの信号をＡＤ変換しディジタル信号処理装置２の系統♯１処理部２−１および系統♯２処理部２−２へ出力する。
【００２４】
ディジタル信号処理装置２は、ディジタル信号処理装置２の系統♯１処理部２−１および系統♯２処理部２−２で信号の逆拡散、信号同期、合成などを行い、その結果をディジタル信号処理にて復号化しＣＰＵ装置１へ送り、また、信号のレベル計算を行い、その結果に基づきＲＦ装置４のＲＦアンプ（図示省略）で必要なＡＧＣ値を決定して設定する。また、信号のレベルおよびＳＮＲをもとに、合成時の重み付け値を決定する。メモリ装置５は、制御情報などが書き込まれており、ＣＰＵ装置１が制御に応じて読み書きをする。また、電源装置６は、ＣＰＵ装置１からの制御に従い、ＣＰＵ装置１、ディジタル信号処理装置２、アナログ信号処理装置３、ＲＦ装置４、メモリ装置５の電源供給を行う。アンテナ♯１、♯２は信号を受信する。
【００２５】
また、図２に示すように、３ＧＰＰ(Third Generation
Partnership Project)で仕様化されているＷＣＤＭＡ(Wideband Code Division Multiple Access)の場合には、ディジタル信号処理装置２内部は、系統毎に、電力計算＆ＡＧＣ設定部２０−１、２０−２、逆拡散部２１−１、２１−２、チャネル推定部２２−１、２２−２、同期検波部２３−１、２３−２、合成部２４、復号化部２５とから構成される。
【００２６】
電力計算＆ＡＧＣ設定部２０−１、２０−２は、信号のレベル算出およびレベル差をもとにＡＧＣ値を決定し、ＲＦ装置４に設定する。逆拡散部２１−１、２１−２は、コードによりスペクトラム拡散化された信号を逆拡散によりノイズ除去させ復号化する。チャネル推定部２２−１、２２−２は、フェージングによる位相回転を推測し、同期検波部２３−１、２３−２に位相補正量を設定する。同期検波部２３−１、２３−２は、信号内にあるパイロット信号をもとにチャネル推定部２２−１、２２−２から設定された位相補正量を参考にし、位相同期させる。合成部２４は、系統♯１、系統♯２の位相同期された信号に重み付けを行い、それを足し合わせると共にＳＮＲを算出し、受信レベル、ＳＮＲより重み付け値を決定する。復号化部２５は、合成された信号に対し、さらに誤り訂正、デインターリーブ、レートマッチングをする。
【００２７】
また、図４は、合成部２４の簡易ブロック図である。系統♯１の信号Ｓ♯１および系統♯２の信号♯２に、受信レベルおよびＳＮＲより決定された重み付け値に応じた重み付けＷ１およびＷ２を行った（乗算した）後に合成（加算）し、これを正規化して合成後信号とする。
（第一の実施形態の動作の説明）
【００２８】
まず、ＡＧＣ値の計算方法を一例として示す。アナログ信号処理装置３のＡＤコンバータが８ビットでフルスケールの―３ｄＢ下がったところを収束ポイントとしたとき、ＡＤ値としては、１０＾（−３／２０）＊（２＾（８−１）−１）＝約９０が収束ポイントとなる。
【００２９】
アンテナに−６０ｄＢｍというレベルの信号を入れて、ＡＧＣ＝４０ｄＢを設定したときに、ＡＤ値として“９０”になるとする。あるレベルの信号を入力したときに、ＡＤ値＝“８０”となるならば、２０＊Ｌｏｇ（９０／８０）＝−約１ｄＢとなり、ＡＧＣ値を１ｄＢ上げてやる必要があり、ＡＧＣ＝４１ｄＢと設定してやれば、収束ポイントであるＡＤ値“９０”になる。
【００３０】
レベル計算方法は、ＡＧＣ＝４１ｄＢと決定すれば、入力レベル−６１ｄＢｍと決定する。このＡＧＣ値とレベル計算は３ＧＰＰで規定されたＷＣＤＭＡの場合には、毎スロット（約６６７マイクロ秒）行われる。
【００３１】
上記したＡＧＣ値とレベル計算に基づき、第一の実施形態を説明する。前提として、系統♯１と系統♯２のＡＧＣ差を制限する、例えばＡＧＣ差≦２０ｄＢとし、ＡＧＣ値が大きい方の系統に制限をかけることとする。例えば、系統♯１のＡＧＣ値＝３０ｄＢ、系統♯２のＡＧＣ値＝６０ｄＢならば、系統♯２のＡＧＣ値＝５０ｄＢに変更される。
【００３２】
系統♯１と系統♯２とにおいて、両方ともアンテナにて−６０ｄＢｍという信号レベル、ＡＧＣ値＝４０ｄＢ設定とする。しかし、時速２００ｋｍで走る新幹線搭乗時などで発生する高速フェージングの影響で、系統♯１のみが急峻にレベル劣化し、−９０ｄＢｍになると、ディジタル信号処理装置２はレベル劣化を検出し、従来のＡＧＣ計算ではＡＧＣ＝７０ｄＢ設定となるが、ＡＧＣ差≦２０ｄＢに制限されているため、次のスロットで設定されるＡＧＣ＝６０ｄＢ設定となる。この状況を図５に示す。図５は、系統♯２の受信レベルは常に−６０ｄＢｍ、ＡＧＣ値は常に４０ｄＢとする。
【００３３】
一方、重み付けは、ＡＧＣ値が毎スロット更新されるのに対し、毎４０ｍｓ（４０スロット）といったＡＧＣと比較し長い周期で更新されるため、高速フェージング環境下で急峻にレベル劣化した場合にも系統♯１と系統♯２の重み付け値はフィードバックされない。例えば、レベルのみで重み付けをされている場合には、４０ｍｓでのレベル平均値にもとづき決定されるため、瞬時、例えば４０スロット中、２スロットだけ−９０ｄＢｍで、それ以外が−６０ｄＢｍであるならば、平均レベルとして−６０．２ｄＢｍ程度となり、レベルとして変化はほとんど無いため、重み付け値としても変更されない。
【００３４】
これは、受信レベルが常に変動しているが、それにもとづき常に次のスロットで重み付け値を更新させると、既に受信レベルが変動し最適な重み付け値でなくなる可能性が高く、かえって最大比合成の効果が得られない状況を回避するためである。
【００３５】
つまり、レベル変動が激しく変動している系統♯１の信号はＳＮＲが良くない、ノイズ成分が支配的と判断し、本来収束ポイントとなっているＡＤ値より値を下げ、ノイズ成分レベルを上げることを抑制するため、レベル劣化に基づく最適な重み付けがフィードバックされなくとも、合成時のＳＮＲ劣化を回避することができる。
【００３６】
また、図６にＲＦ装置４内のノイズ成分支配的な１系統のＡＧＣ出力レベルが大きいため、２系統の信号ラインにノイズ成分が漏れこむ例を示してあり、本発明の実施形態では系統♯１と系統♯２のＡＧＣ差を制限しているため、ノイズ成分が支配的な系統♯１の信号へのＡＧＣが抑制されるため、ＲＦ装置４内で系統♯１の信号が系統♯２の信号へ漏れこみ、受信特性への影響を抑制できる効果もある。
（第二の実施形態）
【００３７】
本発明の第二の実施形態について説明する。第二の実施形態は、系統♯１と系統♯２で設定された上限値を超えた受信レベル差が発生しその結果として上限値を超えたＡＧＣ差以上が発生し、かつ合成結果としてＳＮＲが劣化した場合に、ＡＧＣ値が大きい方の系統に制限をかける点で第一の実施形態と異なる。
【００３８】
系統♯１と系統♯２において、両方ともアンテナにて−６０ｄＢｍという信号レベル、ＡＧＣ＝４０ｄＢ設定とする。しかし、時速２００ｋｍで走る新幹線搭乗時などで発生する高速フェージングの影響で、系統♯１のみが急峻にレベル劣化し、−９０ｄＢｍとなり、ディジタル信号処理装置２はレベル劣化を検出し、従来のＡＧＣ計算通りＡＧＣ＝７０ｄＢを設定し、それにより合成後ＳＮＲ劣化発生した場合には、次のスロットではＡＧＣ差制限を有効にする、例えばＡＧＣ差≦２０ｄＢにする。
【００３９】
それにより、次のスロットで従来のＡＧＣ計算通りＡＧＣ＝７０ｄＢならば、設定されるＡＧＣ＝６０ｄＢ設定となる。以降でＡＧＣ差≦２０ｄＢに収まったならば、ＡＧＣ差制限を解除する。この状況を図７に示す。図７は、系統♯２の受信レベルは常に−６０ｄＢｍ、ＡＧＣ値は常に４０ｄＢとする。
【００４０】
これにより、ＡＧＣ差はあるが、合成によりＳＮＲ効果が得られるにも関わらず、ＡＧＣ差制限を有効にし、結果として合成の効果を半減させることを回避する。
【００４１】
第二の実施形態における電力計算＆ＡＧＣ部２０−１の動作を図８のフローチャートを参照して説明する。図８に示すように、電力計算＆ＡＧＣ部２０−１は、合成部２４からのＳＮＲ劣化通知を監視し（ステップＳ１０）、所定値以下であれば（ステップＳ１１のＹｅｓ）、電力計算＆ＡＧＣ部２０−１および２０−２が受信した受信レベルにより受信レベル差を検出する（ステップＳ１２）。このときに、受信レベル差が上限を超えている場合には（ステップＳ１３のＮｏ）、ＡＧＣ値の決定を行うための受信レベル差として上限値を出力する（ステップＳ１４）。また、受信レベル差が上限を超えていない場合には（ステップＳ１３のＹｅｓ）、ＡＧＣ値の決定を行うための受信レベル差として通常値を出力する（ステップＳ１５）。
（効果の説明）
【００４２】
第一の効果は、受信ダイバーシティ動作時に、高速フェージングなどの影響で系統♯１、系統♯２のどちらかの信号が急峻にレベル劣化した場合に、ＲＦ装置４でのＡＧＣ差の制限を設けることで、ノイズ成分が支配的な信号レベルを抑制できるため、ディジタル信号処理装置２での最大比合成によるＳＮＲ劣化を回避することができる。
【００４３】
第二の効果は、受信ダイバーシティ動作時に、高速フェージングなどの影響で系統♯１、系統♯２のどちらかの信号が急峻にレベル劣化した場合に、ＲＦ装置４でのＡＧＣ差の制限を設けることで、ＲＦ装置４内での良好な信号を得られている系統へのノイズリークを抑制でき、結果として受信特性劣化を回避する。
【００４４】
第三の効果は、受信ダイバーシティ動作時に、高速フェージングなどの影響で系統♯１、系統♯２のどちらかの信号が急峻にレベル劣化し、かつ最大比合成後のＳＮＲ劣化が発生している場合のみ、ＲＦ装置４でのＡＧＣ差の制限を設けることで、ノイズ成分が支配的な信号レベルを抑制でき、ディジタル信号処理装置２での最大比合成によるＳＮＲ劣化を回避することができる。
【産業上の利用可能性】
【００４５】
本発明は、例えば、携帯電話端末のように、高速に移動する新幹線等の中でも使用されるようなダイバーシティ受信装置に適用することにより、受信ダイバーシティにおける系統♯１および系統♯２のどちらかで急峻に受信レベル劣化が発生した場合でもディジタル信号処理装置での最大比合成を劣化させないようにすることができる。
【図面の簡単な説明】
【００４６】
【図１】本発明の実施形態のダイバーシティ受信装置の全体構成図である。
【図２】本発明の実施形態のダイバーシティ受信装置におけるディジタル信号処理装置内受信部の簡易ブロック図である。
【図３】電力計算＆ＡＧＣ部における信号レベル差または利得調整値に上限を設ける手段の動作を説明するフローチャートである。
【図４】合成部の簡易ブロック図である。
【図５】第一の実施形態の動作状況を説明するための図である。
【図６】ＲＦ装置内のノイズ成分支配的な系統♯１のＡＧＣ出力レベルが大きいため、系統♯２の信号ラインにノイズ成分が漏れこむ例を示す図である。
【図７】第二の実施形態の動作状況を説明するための図である。
【図８】第二の実施形態における電力計算＆ＡＧＣ部の動作を示すフローチャートである。
【符号の説明】
【００４７】
１  ＣＰＵ装置
２  ディジタル信号処理装置
２−１  ディジタル信号処理装置の系統♯１処理部
２−２  ディジタル信号処理装置の系統♯２処理部
３  アナログ信号処理装置
３−１  アナログ信号処理装置の系統♯１処理部
３−２  アナログ信号処理装置の系統♯２処理部
４  ＲＦ装置
４−１  ＲＦ装置の系統♯１処理部
４−２  ＲＦ装置の系統♯２処理部
５  メモリ装置
６  電源装置
２０−１、２０−２  電力計算＆ＡＧＣ部
２１−１、２１−２  逆拡散部
２２−１、２２−２  チャネル推定部
２３−１、２３−３  同期検波部
２４  合成部
２５  復号化部
【図１】
0005035044.tif 000002
【図２】
0005035044.tif 000003
【図３】
0005035044.tif 000004
【図４】
0005035044.tif 000005
【図５】
0005035044.tif 000006
【図６】
0005035044.tif 000007
【図７】
0005035044.tif 000008
【図８】
0005035044.tif 000009